(57)【特許請求の範囲】
【請求項１】
車輌に搭載されたモータに並列に接続されたキャパシタと二次電池と、
前記モータと前記キャパシタと前記二次電池との接続関係を切り替えるスイッチ群と、
前記キャパシタの電圧を測定する電圧センサと、
前記車輌が停止状態である期間に前記電圧センサが測定した電圧に基づき、前記スイッチ群を制御する制御部と、を有し、
前記制御部は、前記電圧センサが測定した電圧に基づき前記キャパシタの暗電流を算出し、算出した暗電流が予め設定した閾値を超えた場合に、前記暗電流の大きさに基づき暗電流キャンセル周期を設定し、前記キャパシタの電圧が維持電圧以上となるように前記暗電流キャンセル周期で前記二次電池から前記キャパシタに電流を供給するキャパシタ制御装置。
【請求項２】
前記維持電圧は２．９５Ｖ〜３．０５Ｖである請求項１に記載のキャパシタ制御装置。
【請求項３】
前記キャパシタは、リチウムイオンキャパシタである請求項２に記載のキャパシタ制御装置。
【請求項４】
車輌に搭載されたモータに並列に接続されたキャパシタと二次電池とを有する電源装置におけるキャパシタ制御方法であって、
前記車輌が停止状態である期間に前記キャパシタの電圧を測定し、
測定した電圧に基づき前記キャパシタの暗電流を算出し、
算出した暗電流が予め設定した閾値を超えた場合に、前記暗電流の大きさに基づき暗電流キャンセル周期を設定し、
前記暗電流キャンセル周期で前記キャパシタの電圧が維持電圧以上となるように前記二次電池から前記キャパシタに電流を供給するキャパシタ制御方法。
【発明の詳細な説明】
【技術分野】
【０００１】
本発明は、キャパシタの制御装置及び制御方法に関し、例えば、リチウムイオンキャパシタの制御装置及び制御方法に関する。
【背景技術】
【０００２】
車輌に搭載される電源の一つにリチウムイオンキャパシタがある。リチウムイオンキャパシタはリチウムイオンバッテリと比較して低抵抗（高出力）、かつ、電気二重層コンデンサよりも大容量であるという特徴がある。このリチウムイオンキャパシタと蓄電容量が大きなリチウムイオンバッテリとをモータに対して並列に接続することで、車輌の動力性能の向上が期待できる。そこで、リチウムインキャパシタと二次電池とを電源とするモータ駆動装置の例が特許文献１に開示されている。
【０００３】
特許文献１では、制御装置が、車輌システム起動開始前において、キャパシタの端子間電圧がシステム電圧と略同じとなるように電圧制御を行なう。キャパシタが過放電状態のとき、制御装置は、バッテリの電力を用いてモータジェネレータを駆動してエンジンを始動させた後、所望のエンジン回転数でエンジンを駆動する。そして、エンジンの駆動力でモータジェネレータに逆起電圧を発生させると、モータジェネレータの中性点から単相交流出力電圧を取り出し、２つのシステムリレーを介してキャパシタに供給する。キャパシタが過放電状態から脱すると、制御装置は、逆起電圧の多相交流出力電圧を用いてキャパシタを継続して充電する。
【先行技術文献】
【特許文献】
【０００４】
【特許文献１】特開２００７−０８９２６４号公報
【発明の概要】
【発明が解決しようとする課題】
【０００５】
リチウムイオンキャパシタは、一定の動作保証電圧範囲（例えば、２．２〜３．８Ｖ）を有している。また、この動作保証電圧範囲内において、特に一定の電圧（例えば、３Ｖ）以上で最も安定した特性を得られる。リチウムイオンキャパシタは、一定の電圧（例えば、３Ｖ）以下で放置しておくと３Ｖに電圧が近づく特性を有する。そして、リチウムイオンキャパシタを搭載した車輌で発生する暗電流が継続して電力を消費し、セルが安定な３Ｖに戻れないためであると推定されている。
【０００６】
特許文献１に記載の技術では、リチウムイオンキャパシタが安定な電圧（例えば、３Ｖ）以下である状態で放置された状態が継続することを防止することができない。そのため、特許文献１に記載の技術では、リチウムイオンキャパシタの性能劣化（例えば、抵抗値の上昇）を抑制することができない問題がある。
【０００７】
本発明は、上記事情に鑑みてなされたものであり、リチウムイオンキャパシタの性能劣化を防止することを目的とするものである。
【課題を解決するための手段】
【０００８】
本発明にかかる二次電池のキャパシタ制御装置の一態様は、車輌に搭載されたモータに並列に接続されたキャパシタと二次電池と、前記モータと前記キャパシタと前記二次電池との接続関係を切り替えるスイッチ群と、前記キャパシタの電圧を測定する電圧センサと、前記車輌が停止状態である期間に前記電圧センサが測定した電圧に基づき、前記スイッチ群を制御する制御部と、を有し、前記制御部は、前記電圧センサが測定した電圧に基づき前記キャパシタの暗電流を算出し、算出した暗電流が予め設定した閾値を超えた場合に、前記暗電流の大きさに基づき暗電流キャンセル周期を設定し、前記キャパシタの電圧が維持電圧以上となるように前記暗電流キャンセル周期で前記二次電池から前記キャパシタに電流を供給する。
【０００９】
本発明にかかるキャパシタ制御方法の一態様は、車輌に搭載されたモータに並列に接続されたキャパシタと二次電池とを有する電源装置におけるキャパシタ制御方法であって、前記車輌が停止状態である期間に前記キャパシタの電圧を測定し、測定した電圧に基づき前記キャパシタの暗電流を算出し、算出した暗電流が予め設定した閾値を超えた場合に、前記暗電流の大きさに基づき暗電流キャンセル周期を設定し、前記暗電流キャンセル周期で前記キャパシタの電圧が維持電圧以上となるように前記二次電池から前記キャパシタに電流を供給する。
【００１０】
本発明にかかるキャパシタの制御装置及び制御方法は、暗電流の大きさが一定以上の大きさになった場合に、キャパシタの暗電流をキャンセルしてキャパシタの電圧を維持電圧以上となるようにキャパシタを二次電池で充電する。これにより、本発明にかかるキャパシタの制御装置及び制御方法は、キャパシタの電圧を維持電圧以下の電圧で放置されることを防止する。
【発明の効果】
【００１１】
本発明にかかる本発明にかかるキャパシタの制御装置及び制御方法によれば、キャパシタの性能劣化を防止することができる。
【図面の簡単な説明】
【００１２】
【図１】実施の形態１にかかるキャパシタ制御装置のブロック図である。
【図２】実施の形態１にかかるキャパシタ制御装置の車輌走行時の電流経路を説明する図である。
【図３】実施の形態１にかかるキャパシタ制御装置の電流供給停止時の電流経路を説明する図である。
【図４】実施の形態１にかかるキャパシタ制御装置のバッテリからキャパシタへの電流供給時の電流経路を説明する図である。
【図５】実施の形態１にかかるキャパシタ制御装置の暗電流キャンセル周期設定処理の処理を説明するフローチャートである。
【図６】リチウムイオンキャパシタの充電率と電圧との関係を示すグラフである。
【図７】実施の形態１にかかるキャパシタ制御装置の暗電流キャンセル処理の処理を説明するフローチャートである。
【図８】リチウムイオンキャパシタの電圧と抵抗値増加率の関係を説明するグラフである。
【発明を実施するための形態】
【００１３】
以下、図面を参照して本発明の実施の形態について説明する。説明の明確化のため、以下の記載及び図面は、適宜、省略、及び簡略化がなされている。各図面において、同一の要素には同一の符号が付されており、必要に応じて重複説明は省略されている。
【００１４】
以下の説明では、キャパシタとしてリチウムイオンキャパシタを例にした説明を行う。そのため、以下で説明する電圧の具体的数値はリチウムイオンキャパシタに適した値であり、本発明は以下で説明する具体的な数値に限られるものではない。また、以下で説明する装置は、モータ駆動装置である。以下で説明では、モータ駆動装置の動作の一つであるキャパシタ制御の部分を説明するものであるため、本明細書では、このモータ駆動装置をキャパシタ制御装置と称す。
【００１５】
図１に実施の形態１にかかるキャパシタ制御装置１のブロック図を示す。図１に示すように、キャパシタ制御装置１は、キャパシタユニット１１、スイッチユニット１２、バッテリユニット２１、スイッチユニット２２、制御部３０、システムメインリレー３１、３２を有する。ここで、スイッチユニット１２、２２及びシステムメインリレー３１、３２はキャパシタ制御装置１においてスイッチ群を構成するスイッチである。
【００１６】
また、図１では、キャパシタ制御装置１がモータ駆動装置として機能する場合に、キャパシタユニット１１、システムメインリレー１３が電流を供給するモータ３３、モータ３４を示した。図１では、キャパシタユニット１１、バッテリユニット２１に外部から充電を行うサービスプラグ１０、サービスプラグ２０を示した。図１に示したコンデンサＣ１１、Ｃ２１、Ｃ３０は、電圧の変動を平滑化する平滑コンデンサである。
【００１７】
キャパシタユニット１１は、複数のリチウムイオンキャパシタが直列に接続されたものである。キャパシタユニット１１の最上段に配置されるリチウムイオンキャパシタの一端がキャパシタユニット１１の正極となり、キャパシタユニット１１の最下段に配置されるリチウムイオンキャパシタの一端がキャパシタユニット１１の負極となる。
【００１８】
スイッチユニット１２は、システムメインリレー１３、１４、電圧センサ１５、ヒューズ１６、１７、コンデンサＣ１０を有する。システムメインリレー１３は、キャパシタユニット１１の正極に一端が接続される。システムメインリレー１３の他端は、ヒューズ１６の一端に接続される。システムメインリレー１４は、キャパシタユニット１１の負極に一端が接続される。システムメインリレー１４の他端は、ヒューズ１７の一端に接続される。システムメインリレー１３の他端とシステムメインリレー１４の他端との間には、コンデンサＣ１０が接続される。電圧センサ１５は、コンデンサＣ１０の両端の電圧を測定する。コンデンサＣ１０には、キャパシタユニット１１と同じ電圧が保持されるため、電圧センサ１５は、コンデンサＣ１０の両端の電圧を測定することでキャパシタユニット１１の電圧を測定することができる。ヒューズ１６の他端は、キャパシタユニット１１の正極側出力を伝達する端子となる。ヒューズ１７の他端は、キャパシタユニット１１の負極側出力を伝達する端子となる。ここで、システムメインリレー１３、１４は、制御部３０からの指示に基づき開閉状態が制御されるスイッチである。
【００１９】
バッテリユニット２１は、複数のバッテリが直列に接続されたものである。バッテリユニット２１の最上段に配置されるバッテリの一端がバッテリユニット２１の正極となり、バッテリユニット２１の最下段に配置されるバッテリの一端がバッテリユニット２１の負極となる。
【００２０】
スイッチユニット２２は、システムメインリレー２３、２４、電圧センサ２５、ヒューズ２６、２７、コンデンサＣ２０を有する。システムメインリレー２３は、バッテリユニット２１の正極に一端が接続される。システムメインリレー２３の他端は、ヒューズ２６の一端に接続される。システムメインリレー２４は、バッテリユニット２１の負極に一端が接続される。システムメインリレー２４の他端は、ヒューズ２７の一端に接続される。システムメインリレー２３の他端とシステムメインリレー２４の他端との間には、コンデンサＣ２０が接続される。電圧センサ２５は、コンデンサＣ２０の両端の電圧を測定する。コンデンサＣ２０には、バッテリユニット２１と同じ電圧が保持されるため、電圧センサ２５は、コンデンサＣ２０の両端の電圧を測定することでバッテリユニット２１の電圧を測定することができる。ヒューズ２６の他端は、バッテリユニット２１の正極側出力を伝達する端子となる。ヒューズ２７の他端は、バッテリユニット２１の負極側出力を伝達する端子となる。ここで、システムメインリレー２３、２４は、制御部３０からの指示に基づき開閉状態が制御されるスイッチである。
【００２１】
システムメインリレー３１、３２は、制御部３０からの指示に基づき開閉状態が制御されるスイッチである。システムメインリレー３１の一端には、スイッチユニット１２を介してキャパシタユニット１１の正極が接続されると共にスイッチユニット２２を介してバッテリユニット２１の正極が接続される。システムメインリレー３２の一端には、スイッチユニット１２を介してキャパシタユニット１１の負極が接続されると共にスイッチユニット２２を介してバッテリユニット２１の負極が接続される。
【００２２】
システムメインリレー３１の他端とシステムメインリレー３２の他端との間には、モータ３３及びモータ３４が並列接続される。
【００２３】
制御部３０は、電圧センサ１５が測定した電圧値に基づきシステムメインリレー１３、１４、２３、２４、３１、３２の開閉状態を制御する。また、制御部３０は、電圧センサ１５が測定した電圧に基づきキャパシタユニット１１の暗電流を算出し、算出した暗電流が予め設定した閾値を超えた場合に、暗電流の大きさに基づき暗電流キャンセル周期を設定し、キャパシタユニット１１の電圧が維持電圧以上となるように暗電流キャンセル周期でバッテリユニット２１からキャパシタユニット１１に電流を供給する。以下で、制御部３０における具体的な処理方法とキャパシタ制御装置１のスイッチの切り替えについて説明する。
【００２４】
ここで、維持電圧について説明する。維持電圧は、概ね２．９５Ｖ〜３．０５Ｖの電圧である。つまり、維持電圧は、３Ｖを中心とする一定の範囲内の電圧である。維持電圧は、リチウムイオンキャパシタの初期電圧である。リチウムイオンキャパシタの初期電圧は、リチウムドープ量によって決定される。より具体的には、リチウムイオンキャパシタの負極カーボンにリチウムがドープされることによって、負極電位が低下して初期電圧が発生する。このとき、初期電圧が安定である３Ｖになるようにリチウムのドープ量が設定されるが、生産時のバラツキ（例えば、リチウムの仕込み量のバラツキ、負極の目付のバラツキ、電極内のリチウムの分布のバラツキ）の影響によりリチウムイオンキャパシタの初期電圧にバラツキが生じる。また、リチウムイオンキャパシタは、放置すると電圧が３Ｖに近づく特性を有するが、電圧が３Ｖ付近になると時間に対する電圧変化量が小さくなる。このため、納品リードタイム程度の時間経過では、バラツキの影響により初期電圧が３Ｖからずれているセルの電圧が３Ｖに収束することは考えにくい。そのため、維持電圧は、２．９５Ｖ〜３．０５Ｖ程度の幅を持たせることが好ましい。以下の説明では、このような事情があるもの維持電圧を理想的な３Ｖとして説明する。
【００２５】
まず、キャパシタ制御装置１のスイッチの切り替えについて説明する。キャパシタ制御装置１では、車輌走行時と、電流供給停止時と、電流供給時との大きく３つのスイッチ状態を有する。そこで、それぞれのスイッチ状態を図２〜図４を用いて説明する。
【００２６】
図２に実施の形態１にかかるキャパシタ制御装置の車輌走行時の電流経路を説明する図を示す。図２に示すように、車輌走行時は、システムメインリレー１３、１４、２３、２４、３１、３２のすべてを閉状態（オン状態）とする。これにより、車輌走行時は、キャパシタユニット１１とバッテリユニット２１とがモータ３３、３４に対して並列に接続され、キャパシタユニット１１とバッテリユニット２１とからモータ３３、３４に電流が供給される。
【００２７】
図３に実施の形態１にかかるキャパシタ制御装置の電流供給停止時の電流経路を説明する図を示す。電流供給停止時は、車輌が停止し、キャパシタユニット１１及びバッテリユニット２１に対する充放電が停止されている。この電流供給停止時は、システムメインリレー１３、１４、２３、２４を開状態（オフ状態）とし、システムメインリレー３１、３２を閉状態とする。これにより、キャパシタユニット１１及びバッテリユニット２１からモータ３３、３４への電流供給が停止する。また、キャパシタユニット１１とバッテリユニット２１との間の電流の授受も無くなる。
【００２８】
図４に実施の形態１にかかるキャパシタ制御装置のバッテリからキャパシタへの電流供給時の電流経路を説明する図を示す。図４に示すように、電流供給時は、システムメインリレー３１、３２を開状態とし、システムメインリレー１３、１４、２３、２４を閉状態とする。キャパシタ制御装置１では、キャパシタユニット１１及びバッテリユニット２１がモータ３３、３４と切り離された状態で、キャパシタユニット１１とバッテリユニット２１とが並列接続された状態となる。これにより、バッテリユニット２１からキャパシタユニット１１への電流供給が行われる。
【００２９】
続いて、制御部３０における処理について説明する。制御部３０は、まず暗電流キャンセル周期設定処理を行い、当該暗電流キャンセル周期設定処理で設定された暗電流キャンセル周期で暗電流キャンセル処理を行う。そこで、以下では、暗電流キャンセル周期設定処理と、暗電流キャンセル処理と、についてそれぞれ説明する。
【００３０】
図５に実施の形態１にかかるキャパシタ制御装置１の暗電流キャンセル周期設定処理の処理を説明するフローチャートを示す。図５に示すように、暗電流キャンセル周期設定処理は、車輌が停止した状態で行われる。そのため、制御部３０は、暗電流キャンセル周期設定処理の具体的処理を行う前に車輌が停止状態であるか否かを確認する（ステップＳ１）。ここで、車輌が停止した状態とは、車輌のイグニッションがオフの状態を言う。
【００３１】
そして、車輌が停止状態であると判断できたら、キャパシタユニット１１の電圧測定と測定を行った時刻の保存を行う（ステップＳ２）。このとき、制御部３０は、測定時刻と測定値とを対応付けて蓄積する。また、電圧測定を行う場合、システムメインリレー１３、１４を閉状態とし、システムメインリレー２３、２４、３１、３２を開状態とする。
【００３２】
次いで、蓄積した測定値が２つ以上あるかを確認する（ステップＳ３）。このステップＳ３で測定値が２つ以上ないと判断された場合、暗電流の計算は行わずに次測定時刻が経過するまで待つ。一方、ステップＳ３で測定値が２つ以上ある場合、制御部３０は、暗電流の算出及び暗電流キャンセル周期の設定を行う。
【００３３】
暗電流の計算（ステップＳ４）では、離れた時刻で測定された２つの測定値の差に基づき暗電流を算出する。ここで、暗電流の具体的な計算方法について説明する。そこで、まず、図６にリチウムイオンキャパシタの充電率と電圧との関係を示すグラフを示す。図６に示すように、リチウムイオンキャパシタの電圧と充電率との間には、一次関数の関係がある。このようなリチウムイオンキャパシタの特性から、暗電流の大きさは（１）式によって算出することができる。
暗電流［Ａ］＝（１時間当たりの電圧降下量）÷傾き÷１００
×｛静電容量［Ｆ］×動作保証電圧幅÷３６００｝・・・（１）
【００３４】
ここで、より具体的な数値を（１）式に当てはめて暗電流について説明する。そこで、例として、キャパシタユニット１１が図６に示した特性を有し、キャパシタユニット１１の静電容量が１１００Ｆ、動作保証電圧幅が１．６Ｖ（２．２Ｖ〜３．８Ｖ）、１週間で測定された電圧降下量が０．０１Ｖであった場合について説明する。この場合、（１）式に数値を当てはめることで暗電流が（２）式により求められる。
暗電流＝（０．０１÷７÷２４）÷０．０１６÷１００
×｛１１００×１．６÷３６００｝＝０．０１８ｍＡ・・・（２）
【００３５】
図５に示すように、上記のように算出された暗電流に基づき制御部３０は、暗電流キャンセル処理の周期を設定する。そこで、制御部３０は、ステップＳ４で算出された暗電流が閾値よりも大きければ、暗電流の大きさに応じた暗電流キャンセル周期を設定する（ステップＳ５、Ｓ６）。一方、制御部３０は、ステップＳ４で算出された暗電流が閾値よりも小さければ、暗電流キャンセル処理を解除する（ステップＳ５、Ｓ７）。キャパシタ制御装置１では、暗電流キャンセル処理が解除されることで、暗電流キャンセル処理が行われなくなる。また、暗電流キャンセル処理を行うか否かを判断する基準となる閾値は、例えば、車輌の仕様頻度と暗電流の大きさから考えて暗電流による電圧低下に起因してキャパシタユニット１１の電圧が維持電圧（例えば３Ｖ）を大きく下回らない暗電流の大きさに基づき設定することができる。つまり、暗電流キャンセル処理を行うか否かを判断する基準となる閾値は、暗電流に起因したキャパシタユニット１１の性能劣化が許容できる範囲であるか否かにより決めることができる。また、暗電流キャンセル周期は、暗電流の大きさが大きければ短く設定し、暗電流の大きさが小さければ長く設定することが好ましい。
【００３６】
次いで、制御部３０は、次測定開始時刻が経過するまで処理を待ち状態とする（ステップＳ８）。そして、次測定開始時刻が経過した後に車輌が停止した状態が前回の電圧測定から継続しているかを判断する（ステップＳ９）。このステップＳ９において、車輌の停止が前回の測定時から継続したものであると判断された場合、制御部３０は、再度ステップＳ２からＳ８の処理を行う。一方、このステップＳ９において、車輌の停止が前回の測定時から継続したものではないと判断された場合、制御部３０は、ステップＳ１から再度処理をやり直す。これは、前回の測定時と今回の測定時の間に車輌が始動した場合、キャパシタユニット１１の充放電が行われ暗電流の影響によるキャパシタユニット１１の電圧低下が不明となり、暗電流の大きさの誤判定が生じるためである。
【００３７】
続いて、キャパシタ制御装置１における暗電流キャンセル処理について説明する。この暗電流キャンセル処理は、図５で説明した暗電流キャンセル周期で実施されるものである。図７に実施の形態１にかかるキャパシタ制御装置１の暗電流キャンセル処理の処理を説明するフローチャートを示す。
【００３８】
図７に示すように、暗電流キャンセル処理では、まず、車輌が停止状態であるか否かを判断する（ステップＳ１１）。このステップＳ１において、車輌が停止状態にない場合、制御部３０は、暗電流キャンセル処理を終了させる。一方、ステップＳ１において、車輌が停止状態である場合、制御部３０は、キャパシタユニット１１の電圧を測定し、キャパシタユニット１１の電圧が維持電圧（例えば、３Ｖ）以下であるか否かを確認する（ステップＳ１２、Ｓ１３）。
【００３９】
そして、ステップＳ３において、キャパシタユニット１１の電圧が３Ｖより大きければ、制御部３０は暗電流キャンセル処理を終了させる。一方、ステップＳ３において、キャパシタユニット１１の電圧が３Ｖ以下であれば、制御部３０は、バッテリユニット２１からキャパシタユニット１１に電流が供給されるようにシステムメインリレーを制御する（ステップＳ１４）。
【００４０】
続いて、制御部３０は、再度キャパシタユニット１１の電圧を測定し、キャパシタユニット１１の電圧が維持電圧（例えば、３Ｖ）以下であるか否かを確認する（ステップＳ１５、Ｓ１６）。ステップＳ１６において、キャパシタユニット１１の電圧が３Ｖ以下であれば、制御部３０は、バッテリユニット２１からキャパシタユニット１１への電流供給を継続させる。一方、ステップＳ１６において、キャパシタユニット１１の電圧が３Ｖよりも大きければ、制御部３０は、暗電流キャンセル処理を終了する。
【００４１】
上記暗電流キャンセル処理を行うことで、キャパシタ制御装置１では、キャパシタユニット１１が維持電圧（例えば、３Ｖ）以下で維持されることを防止する。そして、キャパシタユニット１１の電圧を３Ｖ以下で維持されることを防止することでキャパシタユニット１１の性能劣化を防ぐことができる。そこで、キャパシタユニット１１に対して７０００時間の耐久試験を行った後の抵抗の増加率をキャパシタ制御装置１と暗電流キャンセル処理を行わない比較例とで比較したグラフを図８に示す。なお、図８は、横軸をキャパシタユニット１１の電圧、縦軸を抵抗の増加率としたグラフである。
【００４２】
図８に示すように、実施の形態１にかかるキャパシタ制御装置１を適用した場合、抵抗の増加率が比較例に比べて小さくなっていることがわかる。特に３Ｖ以下の領域では、抵抗の増加率の小ささが顕著になる。
【００４３】
上記説明より、実施の形態１にかかるキャパシタ制御装置１及びキャパシタ制御方法を適用することで、キャパシタユニット１１が、性能劣化（例えば、抵抗値の増加）が生じる維持電圧（例えば、３Ｖ）以下で維持されることを防止することができる。そして、キャパシタユニット１１が維持電圧以下で維持されることを防止することで、キャパシタユニット１１の性能劣化を防止することができる。
【００４４】
また、実施の形態１にかかるキャパシタ制御装置１及びキャパシタ制御方法では、キャパシタユニット１１の電圧降下量から暗電流を算出し、算出した暗電流が閾値よりも小さければ暗電流のキャンセル処理を停止することができる。これにより、実施の形態１にかかるキャパシタ制御装置１及びキャパシタ制御方法では、暗電流が小さい場合には暗電流キャンセル処理によるバッテリユニット２１の蓄電電力の消費を抑制しながら、キャパシタユニット１１の性能劣化を削減することができる。
【００４５】
上記説明は、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【符号の説明】
【００４６】
１  キャパシタ制御装置
１０  サービスプラグ
１１  キャパシタユニット
１２  スイッチユニット
１３、１４  システムメインリレー
１５  電圧センサ
１６、１７  ヒューズ
２０  サービスプラグ
２１  バッテリユニット
２２  スイッチユニット
２３、２４  システムメインリレー
２５  電圧センサ
２６、２７  ヒューズ
３０  制御部
３１、３２  システムメインリレー
３３、３４  モータ
【図１】
0006314820.tif 000002
【図２】
0006314820.tif 000003
【図３】
0006314820.tif 000004
【図４】
0006314820.tif 000005
【図５】
0006314820.tif 000006
【図６】
0006314820.tif 000007
【図７】
0006314820.tif 000008
【図８】
0006314820.tif 000009